(57)【特許請求の範囲】
【請求項１】
自動車を収容するに十分な横幅と高さを有し周囲が囲まれ出入り口に開閉手段を設けた収納部屋と、この収納部屋内に配置され自動車を跨ぐ形状のコ字型に形成され両端部が回動自在に支持された枠部材、この枠部材の内側に自動車に向けて配置された多数の洗浄のための噴射ノズル、及び前記枠部材を回動させる回動手段を有する洗車機構とを備えたことを特徴とする洗車装置。
【請求項２】
前記収納部屋の内壁には自動車の高さ及び車長を検知するセンサが設けられ、前記枠部材には前記センサの検知信号により長さ調整する調整部が設けられていることを特徴とする請求項１記載の洗車装置。
【請求項３】
自動車を収容するに十分な横幅と高さを有し周囲が囲まれ出入り口に開閉手段を設けた収納部屋と、この収納部屋の内壁の全面に自動車に向けて配置された多数の洗浄のための噴射ノズルを有する洗浄機構とを備えたことを特徴とする洗車装置。
【請求項４】
前記収納部屋の内壁には自動車の高さ及び車長を検知するセンサが設けられ、前記噴射ノズルは前記センサの検知信号により選択的に噴射が制御されることを特徴とする請求項３記載の洗車装置。
【発明の詳細な説明】
【０００１】
【発明の属する技術分野】
本発明は、給油所の敷地に設置される洗車装置に関するものである。
【０００２】
【従来の技術】
従来、給油所に設置される洗車装置は、例えば、自動車を跨ぐ門型に形成された洗車機本体が敷地に配置されたレール上を往復走行する門型洗車機等が一般的に使用されている。この種の洗車装置は、軽自動車からワゴン車等までの車種に対応できるように、自動車の長さ方向に対して余裕を持った長さのレールを配置し、また非洗車時にレールの一方側に洗車機本体を待機させるスペースを設けている。
【０００３】
【発明が解決しようとする課題】
従来の門型洗車機等は、あらゆる車種に対応できるよう長さ方向に余裕を持った長さのレールを配置し、非洗車時に洗車機本体を待機させるスペースを設けていることで、ある程度広い設置場所を必要としていた。また、洗車機本体は洗浄液を噴射しながら往復走行するため、騒音を発生したり洗浄液の飛沫が飛散して周囲を汚す等のおそれがあった。
【０００４】
本発明は上記事情に鑑みなされたもので、給油所の敷地のスペースを有効利用できるとともに、騒音や飛沫の飛散を防止できる洗車装置を提供することを目的とする。
【０００５】
【課題を解決するための手段】
上記目的を達成するために請求項１に記載の発明にあっては、自動車を収容するに十分な横幅と高さを有し周囲が囲まれ出入り口に開閉手段を設けた収納部屋と、この収納部屋内に配置され自動車を跨ぐ形状のコ字型に形成され両端部が回動自在に支持された枠部材、この枠部材の内側に自動車に向けて配置された多数の洗浄のための噴射ノズル、及び前記枠部材を回動させる回動手段を有する洗車機構とを備えたことを特徴とするものである。給油所の敷地のスペースを有効利用でき、騒音や飛沫の飛散を防止できる。
【０００６】
請求項２に記載の発明にあっては、前記収納部屋の内壁には自動車の高さ及び車長を検知するセンサが設けられ、前記枠部材には前記センサの検知信号により長さ調整する調整部が設けられていることを特徴とするものである。センサにより車種を検知して調整部で枠部材の長さを調整することで、あらゆる車種に対応できる。
【０００７】
請求項３に記載の発明にあっては、自動車を収容するに十分な横幅と高さを有し周囲が囲まれ出入り口に開閉手段を設けた収納部屋と、この収納部屋の内壁の全面に自動車に向けて配置された多数の洗浄のための噴射ノズルを有する洗浄機構とを備えたことを特徴とするものである。給油所の敷地のスペースを有効利用でき、騒音や飛沫の飛散を防止できる。
【０００８】
請求項４に記載の発明にあっては、前記収納部屋の内壁には自動車の高さ及び車長を検知するセンサが設けられ、前記噴射ノズルは前記センサの検知信号により選択的に噴射が制御されることを特徴とするものである。センサにより検知した車の高さや車長により噴射ノズルを選択的に噴射を制御することで、効率的な洗浄ができる。
【０００９】
【発明の実施の形態】
以下、本発明を図示の一実施形態により具体的に説明する。図1〜図４は本発明第1実施形態の洗車装置を説明する図であり、図１は給油所の斜視図、図２は洗車装置の側面図、図３は洗車装置の正面図、図４は図３の洗車装置のＡ−Ａ線断面図である。
【００１０】
これらの図において、給油所の敷地１には、アイランド２上に給油装置３が設けられている。また、敷地１の奥側には事務所等の建物４が配置され、この建物４に隣接した敷地１に、洗車装置１０が設けられている。
【００１１】
洗車装置１０は、自動車５を収納して洗車するための収納部屋１１と、収納部屋１１の内部に配置された洗車機構１２と、収納部屋１１の内壁に設けられた進入センサ１７及び車長センサ１８と、収納部屋１１の出入り口に設けられたロールカーテン１９等の開閉手段と、進入センサ１７及び車長センサ１８の検知信号等に基づいて洗車機構１２の初期動作を制御するとともに、その後の洗車動作を制御する制御装置を有する操作パネル３０等とを備えている。
【００１２】
収納部屋１１は、自動車５を収容するに十分な横幅と高さを有し、外部に騒音や洗浄液の飛沫が飛散しないように周囲が囲まれ、正面に出入り口が設けられている。進入センサ１７は、収納部屋１１の出入り口近傍の内壁に異なる高さ毎に複数個設けられ、高さが異なるワンボックス、ミニバンあるいは普通車等の車の進入を検知するとともに車の高さを検知する。車長センサ１８は、収納部屋１１の出入り口近傍から奥までの内壁の下部側に沿って多数配置され、自動車５の長手方向の長さを検知する。ロールカーテン１９は、収納部屋１１の出入り口の上部に設けられたロールからカーテンを下ろしたり、あるいは巻き上げられたりする機構を備える開閉手段であり、他に出入り口を開閉するシャッターあるいはエアーカーテン等であってもよい。
【００１３】
洗車機構１２は、収納部屋１１の内部の中央部において、自動車５を跨ぐ形状でほぼコ字形に形成され両端部が収納部屋１１の下部側で回動自在に支持された枠部材１３と、この枠部材１３の高さを調整する調整部１４と、この枠部材１３の内面側に自動車５に向けて多数配置された水、洗浄液あるいは空気を噴射する噴射ノズル１５と、枠部材１３を自動車５の上を回動させるモータ等による回動手段１６等とから構成されている。枠部材１３は、下端部側が回動自在に支持された左右枠部材１３ａ，１３ｂ及び左右枠部材１３ａ，１３ｂの上端部間に設けられた上枠部材１３ｃから構成されている。そして、調整部１４は、左右枠部材１３ａ，１３ｂのそれぞれに設けられており、進入センサ１７が検知した自動車５の高さ、及び車長センサ１８が検知した車の長さに基づいて制御部により左右枠部材１３ａ，１３ｂの高さが自動的に調整される。洗車機構１２は、操作パネル３０の操作に基づいて制御装置が枠部材１３を回動させながら噴射ノズル１５から水、洗浄液あるいは空気を噴射させる、水洗い工程、シャンプー工程あるいは乾燥工程等により動作する。
【００１４】
上記構成の洗車装置１０では、まず、ロールカーテン１９のカーテンを巻き上げ入り口部を開けて自動車５を収納部屋１１へ収納した後、ロールカーテン１９のカーテンを下ろして入り口部を閉める。進入センサ１７は、自動車５の進入を検知するとともに高さを検知し、また車長センサ１８は自動車５の長さを検知する。この進入センサ１７及び車長センサ１８の検知信号に基づいて調整部１４により左右枠部材１３ａ，１３ｂの高さが調整される。すなわち、枠部材１３が回動したとき、噴射ノズル１５により自動車５の前部から後部まで洗浄できる位置に調整される。次に、操作パネル３０の操作により、洗浄工程に基づいて枠部材１３が回動しながら噴射ノズル１５から順次、水、洗浄液あるいは空気を噴射することで自動車５を洗浄する。洗車終了後には、枠部材１３は初期位置に戻り、ロールカーテン１９はカーテンを巻き上げて出入り口を開くことで、自動車５を収納部屋１１から出すことができる。したがって、本実施形態の洗車装置１０は、出入り口にロールカーテン１９等の開閉手段が設けられ、周囲が囲まれた収納部屋１１内に自動車５が収納された状態で枠部材１３が回動しながら噴射ノズル１５から水、洗浄液あるいは空気を噴射させるため、従来の門型洗車機のように洗車機本体が洗浄液等を噴射しながら往復移動することがなくなり、給油所の敷地のスペースを有効利用できるだけでなく、収納部屋１１で覆われて安全であり騒音を周囲に出すことがなく、洗浄液等の飛沫の飛散を防止できる。また、進入センサ１７あるいは車長センサ１８により自動車５の高さや長さを検知して調整部１４により枠部材１３の高さを調整することで、枠部材１３の自動車５への接触を防止し、普通車、ミニバンあるいはワンボックス等のあらゆる車種に対応することができる。
【００１５】
図５は本発明第２実施形態の洗車装置の側面図である。なお、第１実施形態の対応する部分は同一の符号を記す。
【００１６】
この実施形態の洗車装置２０は、第１実施形態と同様の収納部屋２１の出入り口にロールカーテン２６等からなる開閉手段が設けられ、収納部屋２１の内壁には、自動車の高さを検知する車高センサ２５と車長センサ２４が設けられ、かつ内壁の洗車機構２２が配置されている。この洗車機構２２は、収納部屋１１の内壁の全面には、自動車５に向けて水、洗浄液あるいは空気を噴射する多数の噴射ノズル２３が配置されている。これらの噴射ノズル２３は、収納部屋１１の左右側面の内壁に配置された噴射ノズル２３ａと、上面の内壁に配置された噴射ノズル２３ｂとから構成されている。また、第１実施形態と同等に、収納部屋２１の正面側には、洗浄のための動作を制御するための制御装置を有する操作パネル３０が設けられており、車高センサ２５と車長センサ２４の検知信号に基づいて必要な噴射ノズル２３ａ，２３ｂを選択的に噴射させる。すなわち、操作パネル３０は、車高センサ２５が検知した自動車５の高さ及び車長センサ２４が検知した自動車５の長さに対応する範囲にある左右側面の内壁に配置された噴射ノズル２３ａを噴射させ、車長センサ２４が検知した自動車５の長さに対応する範囲にある上面の内壁に配置された噴射ノズル２３ｂを噴射させる。さらに、操作パネル３０は、洗車工程に基づいて噴射ノズル２３ａ，２３ｂの噴射を制御する。
【００１７】
この実施形態の洗車装置２０では、出入り口にロールカーテン２６等の開閉手段が設けられ、周囲が囲まれた収納部屋２１内に自動車５が収納された状態で噴射ノズル２５から水、洗浄液あるいは空気を噴射させるため、第１実施形態と同様に、給油所の敷地のスペースを有効利用できるだけでなく、安全であり騒音を周囲に出すことがなく、洗浄液等の飛沫の飛散を防止できる。また、この洗車装置２０では、収納部屋２１の内壁に多数の噴射ノズル２５が配置され、第１実施形態のように回動する部分がないため、故障のおそれが少なくなり、かつ車高センサ２５と車長センサ２４の検知信号に基づいて必要な噴射ノズル２３ａ，２３ｂを選択的に噴射させるため、効率的に洗浄することができる。
【００１８】
なお、上記各実施形態において、収納部屋１１，２１は少なくとも洗車のために収納する自動車５の周囲に騒音や洗浄液の飛沫の飛散が防止できるように周囲が囲まれ、かつ出入り口にはロールカーテン、シャッターあるいはエアーカーテン等の開閉手段が設けられていればよい。また、第１実施形態の枠部材１３は、少なくとも自動車５を跨ぐほぼコ字形に形成されるとともに高さ調整できる調整部１４が設けられ、その内面側に自動車５に向けて水、洗浄液あるいは空気を噴射する噴射ノズル１５が多数配置されていればよく、形状や大きさは任意にでき実施形態に限定されない。
【００１９】
【発明の効果】
以上説明したように本発明では、自動車を収容するに十分な横幅と高さを有し周囲が囲まれ出入り口に開閉手段を設けた収納部屋を設け、この収納部屋内に洗車機構を配置したことで、給油所の敷地のスペースを有効利用でき、騒音や飛沫の飛散を防止できる。
【図面の簡単な説明】
【図１】本発明第１実施形態の給油所の斜視図である。
【図２】本発明第１実施形態の洗車装置の側面図である。
【図３】本発明第１実施形態の洗車装置の正面図である。
【図４】本発明第１実施形態の洗車装置のＡ−Ａ線断面図である。
【図５】本発明第２実施形態の洗車装置の側面図である。
【符号の説明】
１  敷地
２  アイランド
３  給油装置
４  建物
５  自動車
１０  洗車装置
１１  収納部屋
１２  洗車機構
１３  枠部材
１３ａ，１３ｂ  左右枠部材
１３ｃ  上枠部材
１４  調整部
１５  噴射ノズル
１６  回動手段
１７  進入センサ
１８  車長センサ
１９  ロールカーテン
２０  洗車装置
２１  収納部屋
２２  洗車機構
２３ａ，２３ｂ  噴射ノズル
２４  車長センサ
２５  車高センサ
２６  ロールカーテン
３０  操作パネル
【図１】
0003719497.tif 000002
【図２】
0003719497.tif 000003
【図３】
0003719497.tif 000004
【図４】
0003719497.tif 000005
【図５】
0003719497.tif 000006